(57)【要約】      （修正有）【課題】内部に収納される電池を確実に保護して防水性に優れた信頼性の高いパック電池およびその組立方法を提供する。【解決手段】パック電池は、複数の電池２１０をリード板の一の平面に対して垂直姿勢とし、電池２１０同士を隣接して配置した電池ブロックと、各電池２１０に接続されている回路基板と、電池ブロックの隣接する電池２１０同士の間を区画するスペーサと、第１のケースと第２のケースに分割可能であって、スペーサで電池２１０毎に隔離された電池ブロックを収納した状態で溶着または接着して形成されるインナーケース４００と、インナーケース４００と回路基板とを収納する外装ケース１００とを備える。【選択図】図２
2005197192.tif 000002
【特許請求の範囲】
【請求項１】
複数の電池(210)をリード板(240)の一の平面に対して垂直姿勢とし、電池(210)同士を隣接して配置した電池ブロック(200)と、
各電池(210)に接続されている回路基板(600)と、
前記電池ブロック(200)の隣接する電池(210)同士の間を区画するスペーサ(220)と、
第１のケースと第２のケースに分割可能であって、前記スペーサ(220)で電池(210)毎に隔離された電池ブロック(200)を収納した状態で溶着または接着して形成されるインナーケース(400)と、
前記インナーケース(400)と回路基板(600)とを収納する外装ケース(100)と、
を備えることを特徴とするパック電池。
【請求項２】
請求項１に記載されるパック電池であって、前記電池(210)が円筒型であり、前記スペーサ(220)が各電池(210)をオフセット状態で保持するようハニカム状に一体に成型されてなることを特徴とするパック電池。
【請求項３】
請求項１に記載されるパック電池であって、前記リード板(240)の一部を突出させたリード突出部(242)を形成し、前記インナーケース(400)に前記電池ブロック(200)を挿入した状態で、前記リード突出部(242)がインナーケース(400)から突出するよう、前記インナーケース(400)の一部にリード用スリットを形成し、かつ前記リード用スリットの周囲を囲むように、リード突出部(242)の突出する方向と略並行な方向に直立する封止用リブ(412)を形成し、なおかつ前記封止用リブ(412)の高さが前記リード用スリットにリード突出部(242)を挿入した状態で、リード突出部(242)の上端よりも高くなるよう構成されてなることを特徴とするパック電池。
【請求項４】
請求項１に記載されるパック電池であって、さらに
電池温度を検出する感熱素子と、前記感熱素子を保持する感熱素子ホルダ(250)であって、隣接する２つの電池(210)に感熱素子が接するように、電池(210)同士の谷間で前記スペーサ(220)に配置される感熱素子ホルダ(250)と、前記感熱素子ホルダ(250)の一面に配置されて前記感熱素子の端子を接続した感熱素子用リード板(251)とを備え、
前記感熱素子用リード板(251)が一部を突出させた感熱素子用リード突出部(252)を形成しており、前記インナーケース(400)に前記電池ブロック(200)を挿入した状態で、前記感熱素子用リード突出部(252)がインナーケース(400)から突出するよう、前記インナーケース(400)の一部に感熱素子リード用スリットを形成し、かつ前記感熱素子リード用スリットの周囲を囲むように、感熱素子用リード突出部(252)の突出する方向と略並行な方向に直立する感熱素子リード封止用リブ(422)を形成し、なおかつ前記感熱素子リード封止用リブ(422)の高さが前記感熱素子リード用スリットに感熱素子用リード突出部(252)を挿入した状態で、感熱素子用リード突出部(252)の上端よりも高くなるよう構成されてなることを特徴とするパック電池。
【請求項５】
請求項１に記載されるパック電池であって、前記インナーケース(400)を透光性材料で形成してなることを特徴とするパック電池。
【請求項６】
請求項１に記載されるパック電池であって、前記インナーケース(400)の一部に通気口(430)を形成しており、かつ前記通気口(430)を通気性および防水性を有するシート(450)で閉塞してなることを特徴とするパック電池。
【請求項７】
請求項１に記載されるパック電池であって、さらに前記回路基板(600)平面の周囲を囲むように枠状の基板ホルダ用リブ(612)を直立させた基板ホルダ(610)を備え、前記基板ホルダ(610)に前記回路基板(600)を収納して前記電池(210)と配線し、回路基板(600)に防水加工を施したことを特徴とするパック電池。
【請求項８】
請求項７に記載されるパック電池であって、前記回路基板(600)の防水加工が、樹脂(620)によるポッテングまたはコーティングで行われることを特徴とするパック電池。
【請求項９】
請求項１に記載されるパック電池であって、前記インナーケース(400)のリード用スリットを形成した面と対向する面に前記回路基板(600)を配置し、かつ前記回路基板(600)とリード板(240)との配線を、リード線(500)にて行い、なおかつ複数のリード線(500)が相互に交差しないように、インナーケース(400)の表面に沿って略同一の方向に延長されてなることを特徴とするパック電池。
【請求項１０】
請求項７に記載されるパック電池であって、前記インナーケース(400)に前記回路基板(600)又は基板ホルダ(610)をネジ締めで固定するようにしたことを特徴とするパック電池。
【請求項１１】
請求項１に記載されるパック電池であって、前記インナーケース(400)の側面に前記複数のリード線(500)を各々位置決めするためのリード用リブ(460)を形成したことを特徴とするパック電池。
【請求項１２】
請求項１に記載されるパック電池であって、
前記外装ケース(100)が内面にインナーケース保持用リブ(106)を形成しており、
前記基板ホルダ(610)は前記インナーケース(400)よりも平面部の面積が小さく形成され、
前記インナーケース(400)の表面に前記基板ホルダ(610)を固定した状態で、インナーケース(400)の周囲が基板ホルダ(610)よりも突出し、前記インナーケース保持用リブ(106)で突出面を当接してインナーケース(400)を保持するよう構成してなることを特徴とするパック電池。
【請求項１３】
請求項１２に記載されるパック電池であって、
前記基板ホルダ(610)を表面に固定した前記インナーケース(400)と、外装ケース(100)との間に緩衝材(800)を介在させてなることを特徴とするパック電池。
【請求項１４】
請求項１に記載されるパック電池であって、残容量などを表示するための表示部を備える表示基板(700)を前記インナーケース(400)上に載置した状態で、前記インナーケース(400)を外装ケース(100)に挿入したとき、外装ケース(100)に形成されたネジ孔と、外装ケース(100)の裏側で表示基板(700)のネジ孔とが略一致するように位置決めされた状態で、前記表示基板(700)を前記インナーケース(400)上に仮止めするためのボス(470)を前記インナーケース(400)に形成してなることを特徴とするパック電池。
【請求項１５】
請求項１に記載されるパック電池であって、前記電池(210)がリチウムイオン電池であることを特徴とするパック電池。
【請求項１６】
複数の電池(210)をリード板(240)の一の平面に対して垂直姿勢とし、電池(210)同士を隣接して配置した電池ブロック(200)と、
各電池(210)に接続されている回路基板(600)と、
前記電池ブロック(200)の隣接する電池(210)同士の間を区画するスペーサ(220)と、
第１のケースと第２のケースに分割可能であって、前記スペーサ(220)で電池(210)毎に隔離された電池ブロック(200)を収納した状態で溶着または接着して形成されるインナーケース(400)と、
前記インナーケース(400)と回路基板(600)とを収納する外装ケース(100)と、
を備えるパック電池の組立方法であって、
電池(210)の残容量を表示するための表示部を備える表示基板(700)を固定する際に、インナーケース(400)のボス(470)に仮固定するステップと、
外装ケース(100)にインナーケース(400)を挿入した後に、外装ケース(100)の外側からネジ締めして表示基板(700)を外装ケース(100)に固定するステップと、
ネジ孔の上に表示ラベル(110)を貼付するステップと、
を有することを特徴とするパック電池の組立方法。
【発明の詳細な説明】
【技術分野】
【０００１】
本発明は、主として大電流の放電に適しているパック電池およびその組立方法に関し、特に複数の電池を並列と直列に接続しているパック電池およびその組立方法に関する。
【背景技術】
【０００２】
パック電池は、並列に接続する電池の個数を多くして出力電流を大きくでき、また、直列に接続する直列の個数で出力電圧を高くできる。この構造のパック電池は、多数の電池を内蔵するので、各々の電池を能率よく接続できる構造とすることが大切である。このことを実現するパック電池として、独特の構造のリード板で電池を接続するパック電池が開発されている（例えば特許文献１参照）。また、大出力が要求される用途、たとえば自転車、工具、自動車等に使用されるパック電池においても、複数の電池を並列に接続し、さらに、これを直列に接続して出力を大きくする構造がとることができる。
【０００３】
このようなパック電池は、屋外で使用されるため、内部の電池を保護する機構が必要となる。特に保護回路を接続したリチウムイオン電池は、電池の防水だけでなく、回路基板についても十分な防水加工を施す必要がある。また、自転車用のパック電池では外部にむき出しに近い状態で表出するため、外部からの応力の影響をまともに受けることがあり、十分な耐衝撃性が要求される。従来のパック電池では、このような屋外での過酷な使用条件に耐えうる十分な防水性を備えていなかった。
【０００４】
またパック電池を完全な密閉構造とすると、パック電池の内部で圧力が高くなった場合に対応することが困難となる。特にリチウムイオン電池は、電池の内圧上昇時にガス抜きを行うことがあるため、パック電池の内部でガスが蓄積されて圧力が上昇することがあった。
【特許文献１】特開平１０−３０８２０５号公報
【発明の開示】
【発明が解決しようとする課題】
【０００５】
本発明は、従来のこのような問題点を解決するためになされたものである。本発明の主な目的は、内部の電池を確実に保護して防水性に優れた信頼性の高いパック電池およびその組立方法を提供することにある。
【課題を解決するための手段】
【０００６】
上記の目的を達成するために、本発明の請求項１のパック電池は、複数の電池２１０をリード板２４０の一の平面に対して垂直姿勢とし、電池２１０同士を隣接して配置した電池ブロック２００と、各電池２１０に接続されている回路基板６００と、前記電池ブロック２００の隣接する電池２１０同士の間を区画するスペーサ２２０と、第１のケースと第２のケースに分割可能であって、前記スペーサ２２０で電池２１０毎に隔離された電池ブロック２００を収納した状態で溶着または接着して形成されるインナーケース４００と、前記インナーケース４００と回路基板６００とを収納する外装ケース１００とを備える。
【０００７】
これによって、インナーケース４００と外装ケース１００の二重構造で電池２１０を保護できる。特に、インナーケース４００を超音波溶着で密封することにより他の部品と分離でき、また電気配線して外装ケース１００で被覆することにより、強度・耐久性、防水性の向上が図られ、安全性が高まる。また、スペーサ２２０で各電池２１０を分離することにより、電池２１０同士の摩擦による損傷や発熱の影響が伝搬される自体を回避できる。
【０００８】
また、請求項２のパック電池は、請求項１に記載されるパック電池であって、前記電池２１０が円筒型であり、前記スペーサ２２０が各電池２１０をオフセット状態で保持するようハニカム状に一体に成型されている。
【０００９】
これにより、電池２１０をスペーサ２２０で千鳥状に配置して円筒状のスペース効率よく保持できる。
【００１０】
さらに、請求項３のパック電池は、請求項１に記載されるパック電池であって、前記リード板２４０の一部を突出させたリード突出部２４２を形成し、前記インナーケース４００に前記電池ブロック２００を挿入した状態で、前記リード突出部２４２がインナーケース４００から突出するよう、前記インナーケース４００の一部にリード用スリットを形成し、かつ前記リード用スリットの周囲を囲むように、リード突出部２４２の突出する方向と略並行な方向に直立する封止用リブ４１２を形成し、なおかつ前記封止用リブ４１２の高さが前記リード用スリットにリード突出部２４２を挿入した状態で、リード突出部２４２の上端よりも高くなるよう構成されている。
【００１１】
これによって、リード板２４０にリード線５００を配線した後、封止用リブ４１２で囲まれた領域にシリコン等の封止材を注入して封止することにより、リード板２４０とリード線５００が確実に電気接続された状態で固定され、同時に防水も図られる。特に封止用リブ４１２をリード突出部２４２よりも若干高くすることで、封止後にリード突出部２４２の一部が露出することが防止され、電池２１０のショートが防止される。
【００１２】
さらにまた、請求項４のパック電池は、請求項１に記載されるパック電池であって、さらに電池温度を検出する感熱素子と、前記感熱素子を保持する感熱素子ホルダ２５０であって、隣接する２つの電池２１０に感熱素子が接するように、電池２１０同士の谷間で前記スペーサ２２０に配置される感熱素子ホルダ２５０と、前記感熱素子ホルダ２５０の一面に配置されて前記感熱素子の端子を接続した感熱素子用リード板２５１とを備え、前記感熱素子用リード板２５１が一部を突出させた感熱素子用リード突出部２５２を形成しており、前記インナーケース４００に前記電池ブロック２００を挿入した状態で、前記感熱素子用リード突出部２５２がインナーケース４００から突出するよう、前記インナーケース４００の一部に感熱素子リード用スリットを形成し、かつ前記感熱素子リード用スリットの周囲を囲むように、感熱素子用リード突出部２５２の突出する方向と略並行な方向に直立する感熱素子リード封止用リブ４２２を形成し、なおかつ前記感熱素子リード封止用リブ４２２の高さが前記感熱素子リード用スリットに感熱素子用リード突出部２５２を挿入した状態で、感熱素子用リード突出部２５２の上端よりも高くなるよう構成されている。
【００１３】
これによって、上記と同様に感熱素子用リード板２５１にリード線５００を配線した後、感熱素子リード封止用リブ４２２で囲まれた領域にシリコン等の封止材を注入して封止することにより、感熱素子用リード板２５１とリード線５００が確実に電気接続された状態で固定され、同時に防水も図られる。特に感熱素子リード封止用リブ４２２を感熱素子用リード突出部２５２よりも若干高くすることで、封止後に感熱素子用リード突出部２５２の一部が露出することが防止され、感熱素子のショートが防止される。
【００１４】
さらにまた、請求項５のパック電池は、請求項１に記載されるパック電池であって、前記インナーケース４００を透光性材料で形成している。
【００１５】
これにより、インナーケース４００内部の電池２１０の様子を外部から視認でき、組立上の不具合などを発見し易くでき、電池２１０の信頼性を高められる。
【００１６】
さらにまた、請求項６のパック電池は、請求項１に記載されるパック電池であって、前記インナーケース４００の一部に通気口４３０を形成しており、かつ前記通気口４３０を通気性および防水性を有するシート４５０で閉塞している。
【００１７】
これにより、通気口４３０を防水すると共にインナーケース４００内部と外部との気圧差を制御することができる。例えば、インナーケース４００内部が異常に高圧になる事態を回避できる。
【００１８】
さらにまた、請求項７のパック電池は、請求項１から６のいずれかに記載されるパック電池であって、さらに前記回路基板６００平面の周囲を囲むように枠状の基板ホルダ用リブ６１２を直立させた基板ホルダ６１０を備え、前記基板ホルダ６１０に前記回路基板６００を収納して前記電池２１０と配線し、回路基板６００に防水加工を施している。
【００１９】
これによって回路基板６００の防水性が確保されて電池２１０の安全性を高めることができる。
【００２０】
さらにまた、請求項８のパック電池は、請求項７に記載されるパック電池であって、前記回路基板６００の防水加工が、樹脂６２０によるポッテングまたはコーティングで行われる。
【００２１】
これにより、放熱性も改善される。空気は熱伝導性が悪いが、コーティングによって接触面積から放熱が行われるので、放熱性を改善してパック電池の信頼性も向上される。
【００２２】
さらにまた、請求項９のパック電池は、請求項１に記載されるパック電池であって、前記インナーケース４００のリード用スリットを形成した面と対向する面に前記回路基板６００を配置し、かつ前記回路基板６００とリード板２４０との配線を、リード線５００にて行い、なおかつ複数のリード線５００が相互に交差しないように、インナーケース４００の表面に沿って略同一の方向に延長されている。
【００２３】
これにより、リード線５００同士がショートする自体を回避できる。複数のリード線５００を使用する場合、長いリード線５００を引き回すとショートする恐れがある。そこでリード線５００をインナーケース４００の一方の面から対向する他方の面まで略直線状に延長することで、複数のリード線５００同士が交差しないようにして、これらが接触する恐れを低減している。特にリチウムイオン電池２１０を多数直列に接続する場合、各電池２１０の各々の電圧を回路基板６００に出力する必要がある。この際、電池ブロック２００と回路基板６００を並行に配置し、電池２１０と回路基板６００とを結ぶ複数のリード線５００の配線が交差しないようにムカデの足のように配線することで、各電池２１０間のショートを生じ難くできる。また、配線作業が行いやすく誤配線も防止できる。
【００２４】
さらにまた、請求項１０のパック電池は、請求項７に記載されるパック電池であって、前記インナーケース４００に前記回路基板６００又は基板ホルダ６１０をネジ締めで固定するようにしている。
【００２５】
これにより、回路基板６００又は回路基板６００を保持する基板ホルダ６１０をインナーケース４００で確実に保持できる。特に、回路基板６００又は回路基板６００が外装ケース１００と直接接触しないようにすることでこれらを外装ケース１００から分離でき、外装ケース１００に対する衝撃等の影響を直接受けないようにして、電子部品や電気接触を有する回路基板６００を保護する。
【００２６】
さらにまた、請求項１１のパック電池は、請求項１に記載されるパック電池であって、前記インナーケース４００の側面に前記複数のリード線５００を各々位置決めするためのリード用リブ４６０を形成している。
これによって各リード線５００がそれぞれリード用リブ４６０で保持され、リード線５００が交差したりショートする恐れが回避される。
【００２７】
さらにまた、請求項１２のパック電池は、請求項１に記載されるパック電池であって、前記外装ケース１００が内面にインナーケース保持用リブ１０６を形成しており、前記基板ホルダ６１０は前記インナーケース４００よりも平面部の面積が小さく形成され、前記インナーケース４００の上面に前記基板ホルダ６１０を固定した状態で、インナーケース４００の周囲が基板ホルダ６１０よりも突出し、前記インナーケース保持用リブ１０６で突出面を当接してインナーケース４００を保持するよう構成している。
【００２８】
これにより、インナーケース４００自体が外装ケース１００内部に保持され、基板ホルダ６１０は外装ケース１００内面と直接接触しない構成とでき、回路基板６００を応力から保護できる。
【００２９】
さらにまた、請求項１３のパック電池は、請求項１２に記載されるパック電池であって、前記基板ホルダ６１０を表面に固定した前記インナーケース４００と、外装ケース１００との間に緩衝材８００を介在させている。
【００３０】
これにより、インナーケース４００が緩衝材８００で保護されるので、外装ケース１００に衝撃が加えられても内部の電池２１０が保護される。
【００３１】
さらにまた、請求項１４のパック電池は、請求項１に記載されるパック電池であって、残容量などを表示するための表示部を備える表示基板７００を前記インナーケース４００上に載置した状態で、前記インナーケース４００を外装ケース１００に挿入したとき、外装ケース１００に形成されたネジ孔と、外装ケース１００の裏側で表示基板７００のネジ孔とが略一致するように位置決めされた状態で、前記表示基板７００を前記インナーケース４００上に仮止めするためのボス４７０を前記インナーケース４００に形成している。
【００３２】
これにより、表示基板７００を外装ケース１００に固定する際、表示基板７００をインナーケース４００に一旦保持して、外装ケース１００を装着した後、表示基板７００をインナーケース４００上から外装ケース１００に引き渡すことができ、表示基板７００の固定作業が容易となる。
【００３３】
さらにまた、請求項１５のパック電池は、請求項１に記載されるパック電池であって、前記電池２１０がリチウムイオン電池である。これにより、電池のエネルギー密度が高く小型軽量化に寄与し得る。
【００３４】
また、請求項１６のパック電池の組立方法は、複数の電池２１０をリード板２４０の一の平面に対して垂直姿勢とし、電池２１０同士を隣接して配置した電池ブロック２００と、各電池２１０に接続されている回路基板６００と、前記電池ブロック２００の隣接する電池２１０同士の間を区画するスペーサ２２０と、第１のケースと第２のケースに分割可能であって、前記スペーサ２２０で電池２１０毎に隔離された電池ブロック２００を収納した状態で溶着または接着して形成されるインナーケース４００と、前記インナーケース４００と回路基板６００とを収納する外装ケース１００とを備えるパック電池の組立方法であって、電池２１０の残容量を表示するための表示部を備える表示基板７００を固定する際に、インナーケース４００のボス４７０に仮固定するステップと、外装ケース１００にインナーケース４００を挿入した後に、外装ケース１００の外側からネジ締めして表示基板７００を外装ケース１００に固定するステップと、ネジ孔の上に表示ラベル１１０を貼付するステップとを有する。
【００３５】
先に表示基板７００を外装ケースに固定した後、インナーケースを外装ケースに固定しようとすれば、インナーケース上に載置された回路基板から表示基板７００に接続されたリード線を長くしなければ作業上の取り回しが悪くなり、また長いリード線を収納するスペースも必要となってスペース効率も悪くなるといった問題があったが、上記方法により、表示基板７００を外装ケース１００に固定する際、表示基板７００をインナーケース４００に一旦保持して、外装ケース１００を装着した後、容易に引き渡すことができる。また表示ラベル１１０を貼付することで防水も図られる。
【発明の効果】
【００３６】
本発明のパック電池およびその組立方法は、内蔵する電池を外部から保護して安全性を高めている。それは、パック電池を外装ケースに加えてさらにインナーケースによる二重構造として、インナーケース内部に電池をブロック状に収納して保護しているからである。インナーケースを封止することで防水性が確保され、特にリチウムイオン電池など防水性が要求される電池を確実に保護できる。また、外部からの応力などの衝撃から電池を保護する耐衝撃性も向上される。さらに、回路基板と電池のリード板とを配線するリード線との接続部分を封止やポッティングにより確実に固定し保護しているので、電池の短絡が防止され安全性が高められる。また複数のリード線が相互に交差しないようにリード用リブを設けることで、リード線同士の接触を阻止して短絡を回避でき、安全性向上に貢献し得る。
【発明を実施するための最良の形態】
【００３７】
以下、本発明の実施の形態を図面に基づいて説明する。ただし、以下に示す実施の形態は、本発明の技術思想を具体化するためのパック電池およびその組立方法を例示するものであって、本発明はパック電池およびその組立方法を以下のものに特定しない。
【００３８】
また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００３９】
［外装ケース１００］
図１に本発明の一実施の形態に係るパック電池の外形を、図２に断面図をそれぞれ示す。これらの図に示すパック電池は、内部に複数の電池を内蔵し、外部を外装ケース１００で覆っている。外装ケース１００は、ＡＢＳ樹脂などで成型されており、２以上の部材に分割されてネジ止めやはめ込み式などの連結方法により固定される。外装ケース１００は、パック電池の用途や目的、使用状況に応じた様々な形状に設計できる。図１に示す外装ケース１００は、上外装ケース１０１と下外装ケース１０２に分割されている。また、上部に取手１０３を一体成型して持ち運びを容易にしている。さらに図１に示す下外装ケース１０２は、上外装ケース１０１を連結するために、外周面に沿って連結リブ１０４を設けている。上外装ケース１０１の外周にも連結リブ１２を設けており、互いの連結リブ１０４を連結して、本外装ケース１００と下外装ケース１０２とを連結する。さらに、この状態でネジ止めして固定される。
【００４０】
外装ケース１００の内部には複数の電池が収納されている。電池の固定方法を、図３〜図５に示す。これらの図に示すように、各電池２１０は円筒型であり、複数本を同一方向に並べ、オフセット状に重ねて積み上げた電池ブロック２００を構成している。電池２１０をオフセット状に配置することで、円筒形の電池２１０を効率よく多数並べて配置できる。図３の例では、７本の電池２１０を２段に積層しており、７本の電池２１０をそれぞれ直列に接続して、さらにこれらを並列に接続している。ただ、電池の使用数や配置、接続形態はこの例に限定されるものでない。
【００４１】
［電池２１０］
電池ブロック２００の電池２１０は、充電可能な二次電池である。図３のパック電池は、電池２１０を円筒型電池としている。ただ、電池２１０には角型電池や薄型電池も使用できる。本実施の形態に置いては、電池２１０として円筒型のリチウムイオン電池を使用する。リチウムイオン電池は、複数個を並列に接続して、これを直列に接続するパック電池の二次電池として適している。それは、複数のリチウムイオン電池を並列に接続して、内部抵抗を小さくして出力電流を大きくできるからである。また、リチウムイオン電池は、充電容量も大きいので、大電流を必要とする用途の場合でも、容量不足を招かずに十分な使用時間を確保できる。ただし、本発明のパック電池は、電池をリチウムイオン電池に特定せず、電池にはニッケル−水素電池やニッケル−カドミウム電池も使用できる。
【００４２】
［スペーサ２２０］
図３に示すように、電池と電池の間にはスペーサ２２０が配置される。スペーサ２２０は、図４に示すように断面がハニカム状となるような構造としており、円筒形の電池２１０の側面を保持するように開口した電池保持部２２２を形成している。電池保持部２２２は、円筒型電池２１０の湾曲面を確実に保持できるように、断面が略六角形状のハニカム型や円形状とする。また、スペーサ２２０に弾性変形する部材を使用すれば、電池２１０の湾曲面を挟着して確実に保持できる。あるいはスペーサ表面は必ずしも平面状とする必要はなく、表面を凹凸形状としてもよい。図４のスペーサ２２０は、７つの電池保持部２２２をオフセットさせて２段に形成しており、それぞれ電池保持部２２２に電池２１０を挿入することで図３のような電池ブロック２００を構成する。スペーサ２２０は絶縁性部材で構成され、例えば硬質あるいは軟質のプラスチックを一体成型して形成される。スペーサ２２０は電池保持部２２２を区画することによって複数の電池を正確に位置決めしながら配列でき、かつ各電池２１０を各々独立して分離させることができる。スペーサがない状態で電池を複数接近させると電池同士の摩擦や、電池の発熱によって他の電池が影響を受ける問題がある。例えば、一の電池が短絡するなどして異常に発熱した場合、その熱によって隣接する電池も損傷を受けることがあった。図４のスペーサ２２０で各電池２１０を隔離することによりこれらの影響を低減できる。尚、スペーサ２２０の一部または全部に、金属等の熱伝導性の良好な部材を用いた場合は、発熱した電池の放熱を促進して、電池の寿命低下を防ぐこともできる。
【００４３】
［リード板２４０］
さらに、各電池２１０の端面にはリード板２４０が固定される。リード板２４０は平面部分で複数の電池２１０の端面を覆い、電池２１０の端子同士を電気接続して直列、並列に電池２１０を接続する。リード板２４０は導電性のよい金属などで構成される。図３の例では、上下左右の４本の電池２１０の端子を接続するリード板２４０と、上下の２本の電池２１０の端子を接続するリード板２４０を使用している。これらのリード板２４０は、馬蹄形あるいはＵ字状のスリット２４１を形成して電池２１０の端子と確実に電気接続を得ている。馬蹄形のスリット２４１の内側を電池２１０の電極との溶着部として、電極に抵抗溶接でスポット溶接される。この構造のリード板２４０は、スリット２４１で分離された溶着部がリード板２４０に対して変形できるので、電池２１０の誤差や衝撃による振動を吸収して、電池２１０がリード板２４０から外れるのを有効に防止できる。ただ、溶着部は必ずしも馬蹄形のスリット２４１の内側とする必要はなく、Ｖ字状やコ字状のスリットを設けてその内側を溶着部とすることもできる。さらにリード板２４０は、内側に溶着部を設けてなるスリット２４１の非開口部が、直列に接続される電池２１０の方向を向くように、すなわち互いに縦方向で対向する姿勢となるように複数のスリット２４１を開口している。この構造のリード板２４０は、直列に接続される電池列を最短距離で、いいかえるとスリットで分断することなく低抵抗に接続できる特長がある。
【００４４】
［リード突出部２４２］
またリード板２４０にはリード突出部２４２が形成される。リード突出部２４２は、リード板２４０の一端を突出させて配線用の孔を形成したものである。このリード突出部２４２は、図５に示すように電池ブロック２００を外装ケース１００に挿入する際、下外装ケース１０２に形成されたリード用スリット４１０に挿入される。このように、外装ケース１００にはリード突出部２４２が位置する部位に予めリード突出部２４２が挿入できる大きさのリード用スリット４１０を開口しており、これによって電池ブロック２００が外装ケース１００に位置決めされる。
【００４５】
リード突出部２４２をリード用スリット４１０に挿入すると、リード突出部２４２は下外装ケース１０２を貫通して外装ケース１００の外部に突出する。この状態で、リード突出部２４２に開口された配線用の孔にリード線５００の一端が配線される。リード線５００の他端は、後述する回路基板６００に配線される。このように、各リード板２４０に配線を行うのは、電池２１０の端子電圧を測定するためである。特にリチウムイオン電池２１０を使用する場合は、電池２１０を保護するために電池２１０電圧を検出してモニタする必要がある。このため、各リード板２４０の電圧を検出して、所定の電池２１０の組の電圧をモニタできる。
【００４６】
［封止用リブ４１２］
またリード用スリット４１０の周囲には、図６に示すように封止用リブ４１２が設けられている。図６はインナーケース４００の底面を示す斜視図である。この図に示すように、リード用スリット４１０の周囲を囲むように、リード突出部２４２の突出する方向と略並行な方向に直立する封止用リブ４１２が形成される。封止用リブ４１２は、リード突出部２４２にリード線５００を配線した状態で封止するための区画を形成している。封止は、シリコンなどの封止材３００を封止用リブ４１２で囲まれた領域に注入して行われ、これによりリード板２４０とリード線５００が確実に電気接続された状態で固定され、同時に防水も図られる。封止用リブ４１２は下外装ケース１０２の表面に一体成型により設けられる。図６に示すように、封止用リブ４１２は下外装ケース１０２の側面から延長されるように、側面と同一平面で形成されており、さらにＵ字状にリード線保持部４１４を形成している。これにより、リード線５００を折曲させることなく回路基板６００から直線状に引き出し、さらにリード保持部でリード線５００を挟着して保持し、配線を安定して行える。また封止用リブ４１２の高さは、全周にわたって均一とせず、一部の壁面のみを高く形成してもよい。特に、外装ケース１００の側面側に面した封止用リブ４１２は、リード用スリット４１０にリード突出部２４２を挿入した状態でリード突出部２４２の上端よりも高くなるよう設計される。これによって、突出するリード突出部２４２が金属などの導電性部材に接触してショートすることが防止される。特に、封止後にリード突出部２４２の一部が露出しないので、この部分でのショートの恐れを回避できる。また、封止前の状態でも導電性のリード突出部２４２が突出しないので、超音波溶着の際等に金属板に接触してもショートし難くできる。
【００４７】
［感熱素子］
さらに感熱素子も、上記のリード突出部２４２と同様の方法で固定される。感熱素子は電池２１０の温度を検出して電池保護の制御を行うために利用される。感熱素子としてはサーミスタや熱電対、ＰＴＣ素子など温度に応じて電気特性を変化させる素子が利用できる。図３の例では感熱素子としてサーミスタを使用している。サーミスタである感熱素子は図３に示すように、電池２１０の谷間に位置することで、一個の感熱素子で２個の電池の温度を測定することができ、また谷間のスペースを利用して感熱素子の配置スペースを稼ぐことができる。感熱素子は感熱素子ホルダ２５０に固定されており、電池２１０の谷間に感熱素子ホルダ２５０を固定できるよう、スペーサ２２０には感熱素子ホルダ用切り欠き２２４を形成している。感熱素子ホルダ２５０で感熱素子を電池ブロック２００に固定した状態で、電池２１０の側面部分を貼付するように両面テープなどの固定テープ２６０で電池ブロック２００の周囲を捲回して、電池ブロック２００を固定する。これにより、電池２１０がスペーサ２２０から脱離しないよう確実に固定される。
【００４８】
［感熱素子用リード板２５１］
また感熱素子ホルダ２５０には、感熱素子の端子接続用に一部を突出させた感熱素子用リード板２５１を固定している。感熱素子用リード板２５１は、リード突出部２４２と同じ方向に突出させており、リード用スリット４１０と同様にインナーケース４００に開口された感熱素子リード用スリット４２０に挿入される。感熱素子リード用スリット４２０の周囲にも同様に感熱素子リード封止用リブ４２２が形成されている。感熱素子リード用スリット４２０に感熱素子用リード板２５１を挿入した状態で、感熱素子用リード板２５１に形成された孔にリード線５００の一端を配線し、他端を回路基板６００の感熱素子用回路と配線される。また、感熱素子用リード板２５１が配線された状態で、上記と同様の封止を行い防水とショートなどから保護する。また感熱素子リード封止用リブ４２２を構成する側面側の高さは、感熱素子リード用スリット４２０に感熱素子用リード突出部２５２を挿入した状態で、感熱素子用リード突出部２５２の上端よりも高くなるよう設計される。これによって、封止後に感熱素子用リード突出部２５２の一部が露出することが防止され、感熱素子のショートが防止される。
【００４９】
［インナーケース４００］
以上のようにして構成された電池ブロック２００は、インナーケース４００に挿入されて固定される。インナーケース４００は上下に分割された構成であり、図６に示すように開口部を有する箱状の下インナーケース４０２と、蓋状の上インナーケース４０１で構成される。図５に示すように内部に組立済みの電池ブロック２００を上方を開口した下インナーケース４０２挿入した後、上インナーケース４０１で開口部を閉塞して超音波溶着などの熱溶着や接着により、この部分で気密に固定される。インナーケース４００は、絶縁材を成形して製作される。インナーケース４００を成形する絶縁材は、超音波溶着できるプラスチック、すなわち熱可塑性のプラスチックである。またインナーケース４００は、好ましくは透光性の部材とする。透光性の部材としては、ポリカーボネート樹脂が好適に利用できる。ポリカーボネート樹脂は耐熱性に優れており、また電解液に溶解しないので、リチウムイオン電池の保護に適している。透光性のインナーケースを使用することで、インナーケース内部の状態が外部から視認できるので、電池の不具合や組立上の問題などが目視で発見しやすくなり、電池の信頼性を高められる。一方、外装ケース１００等は安価なＡＢＳ樹脂などで構成でき、パック電池の製造コストを低減できる。
【００５０】
［通気口４３０］
またインナーケース４００には、図６に示すように通気口４３０が開口されている。通気口４３０は、下インナーケース４０２の端面に形成された傾斜面４４０に開口される。傾斜面４４０に通気口４３０を形成することで、インナーケース４００を覆う外装ケース１００との距離を保ち、通気量を確保している。通気口４３０には、通気性及び防水性を有するシート４５０を内側から貼付して閉塞している。これにより、内圧の調整と防水性が維持される。インナーケース４００を密閉すると、内部の電池２１０から排出されるガスによってインナーケース内部が高圧になることがある。一方、インナーケース内部の電池を保護するために防水する必要がある。したがって、空気は通過しかつ水分は通過させないフィルタを介することによって、防水性と通気性を両立させ、内圧による膨張や収縮でインナーケース４００が変形する事態を防止し、同時に内部の電池２１０を水分から保護する。このような通気性および防水性を有するシート４５０には、ゴアテックス（登録商標）等が使用できる。
【００５１】
［リード線５００］
回路基板６００は、図６や図７に示すようにリード用スリット４１０等を開口した面と対向するインナーケース４００の反対面に固定される。回路基板６００は、リード線５００を介して対向面のリード板２４０と配線される。このとき、各リード線５００は互いに直交しないように、それぞれ直線状にリード板２４０と回路基板６００とを配線する。リード線５００は電池電圧が印加されているため、ショートが発生し難いような配慮が求められる。上述の通りリチウムイオン電池を多数直列に接続する場合、電池電圧のモニタのため複数のリード線を回路基板６００に接続する必要がある。各リード線には電池電圧が印加されているため、複数のリード線で配線される状況でリード線を引き回すとショートのおそれがある。そこで本実施の形態では、リード線同士が直交しないように、リード線５００がムカデの足状に延びるように、すなわちほぼ同一の方向で、並行に近い方向に延長されるよう配置している。この状態でリード線５００が維持できるよう、上述した側面側の封止用リブ４１２に形成したリード線保持部４１４に加えて、図６に示すようにインナーケース４００の側面にもリード用リブ４６０を形成している。また回路基板上の端子も、該当するリード板２４０と配線し易いように、回路基板６００の端部に、それぞれのリード板２４０と対応する位置近傍に配置されるよう回路が設計される。このようなリード線５００による配線によって、ショートの恐れを低減している。コネクタによる接続であれば、電池電圧の印加された端子が接近して配置されるため、金属片がコネクタに挿入されるなど何らかの原因でショートすることが考えられるが、本実施の形態ではリード線による配線を行っているので、電池電圧の印加された端子や経路を離間させることができ、しかもショートの原因となるリード同士の接触も排除しており、高い安全性が確保される。
【００５２】
［回路基板６００］
電子部品などを実装し、電池の充電制御や保護回路などを構成したり、電池の残容量の演算回路を構成する回路基板６００は、基板ホルダ６１０に保持される。図７に、インナーケース４００上に回路基板６００を固定した状態の斜視図を示す。この図に示すように、基板ホルダ６１０は回路基板６００の周囲を囲むように基板ホルダ用リブ６１２を直立させている。一般に回路基板は厚さに対して薄く面積が広くなるため、強度的に弱くなるが、基板ホルダ６１０によって周囲を枠状に囲むことで、平面と直交する面に延長された基板ホルダ用リブ６１２で補強される効果が得られる。
【００５３】
回路基板６００は、電池ブロック２００と並行に配置され、リード線５００による配線を短くシンプルに行えるようにしている。回路基板６００に実装された保護回路は、電池の過充電や過放電を検出して電流を制御する回路、電池の過充電を検出して電流を遮断する回路等である。保護回路は、電池の過充電や過放電を検出するために、電池の電圧を検出する電圧検出回路（図示せず）を備える。電圧検出回路は、リード板２４０を介して電池ブロック２００の中間電圧の電圧を検出し、検出した電圧から電池の過充電や過放電を検出する。さらに、回路基板は、図示しないが充放電用の出力端子に接続されている。パック電池は、充放電用の出力端子が電動機器に接続される状態で放電し、充放電用の出力端子が充電器に接続される状態で電池が充電される。
【００５４】
［ポッティング］
基板ホルダ６１０内で配線された回路基板６００は、図７に示すように樹脂６２０によるポッテングまたはコーティングにより防水加工される。回路基板６００のポッティング等により、回路基板６００の防水が図られるとともに、回路基板６００と配線されたリード線５００の分離を阻止し、ショートの恐れを回避する。ポッティングの材料には、ウレタン系樹脂、シリコン系樹脂、エポキシ系樹脂等の樹脂６２０が利用できる。またポッティングすることで、放熱性も改善される。何らコーティングなどを行わない状態では空気に曝されることとなり熱伝導性が悪いが、コーティングによって接触面積から放熱が行われるので、放熱性を改善してパック電池の信頼性も向上される。
【００５５】
［基板ホルダ６１０の固定］
回路基板６００を含む基板ホルダ６１０は、図７に示すようにインナーケース４００上に固定される。ここではネジ止めにより固定されるが、フックによる係止や接着などの方法も利用できることはいうまでもない。インナーケース４００上に基板ホルダ６１０を固定し、また表示基板７００を仮止めした状態で、図８に示すようにインナーケース４００が外装ケース１００に挿入される。外装ケース１００は上下に分割された構造であり、内部にインナーケース４００を収納できる大きさ及び形状に設計される。図８に示すように外装ケース１００の内部にはインナーケース保持用リブ１０６を突出させている。インナーケース保持用リブ１０６は上外装ケース１０１の内面から垂直に突出するよう、一体成型で設けられる。インナーケース保持用リブ１０６の先端をインナーケース４００に当接させることで、インナーケース４００は外装ケース１００内部で動かないよう確実に保持される。
【００５６】
［緩衝材８００］
さらに、インナーケース４００と外装ケース１００との間には、図８に示すように緩衝材８００が配置される。緩衝材８００は、リード線５００を配線、固定した状態で、インナーケース４００の側面及び基板ホルダ６１０を設けない底面に固定される。これによってインナーケース４００と外装ケース１００の間に緩衝材８００を介在させることができ、外部の衝撃からインナーケース４００を保護する。インナーケース保持用リブ１０６は、インナーケース４００の外周を覆う緩衝材８００に先端を当接して、インナーケース４００を外装ケース１００の内部で挟着するように保持する。これによって、インナーケース４００は外装ケース１００内部でがたつくことなく確実に保持され、しかも緩衝材８００によって衝撃や振動から保護される。緩衝材８００はクッション性のよい弾性体が使用でき、シリコンゴムや発泡体等が利用できる。緩衝材８００は粘着テープなどでインナーケース４００の表面に貼付される。また、回路基板６００を収納する基板ホルダ６１０の面積はインナーケース４００の上面よりも小さくなるよう設計される。さらに基板ホルダ６１０がインナーケース４００の上面から突出しないように、インナーケース４００内に含まれる状態に位置決めされて固定される。これによって、インナーケース４００のみが外装ケース１００と接触して固定される。いいかえると、基板ホルダ６１０は外装ケース１００の内面と直接接触せず、インナーケース４００上に載置される状態となっている。これによって、外装ケース１００を落下させるなど強い衝撃が加えられても、衝撃が直接回路基板６００には伝達されず、緩衝材８００とインナーケース４００を介して伝搬されるため、回路基板６００に実装された電子部品やはんだ付けなどの電気接続部分が保護される。このように、インナーケース保持用リブ１０６と緩衝材８００でインナーケース４００を保持する構造によって、回路基板６００は衝撃や振動から保護され、この部分での信頼性が向上する。
【００５７】
［表示基板７００］
表示基板７００は、電池の残量表示などを行う表示部７０１を含んでおり、例えば液晶表示器やＬＥＤ表示器等の７セグメント表示器が使用される。表示基板７００は、外装ケース１００に開口された開口窓１０８を通じて表示部７０１を外部に表出させる。このため、表示部７０１は外装ケース１００に固定する必要がある。一方、表示部７０１を駆動させるために表示基板７００は回路基板６００と配線される必要がある。このため、従来の組み立て工程においては、表示基板から長めのリード線を回路基板と配線し、先に表示基板を外装ケースに固定した後、基板ホルダを含むインナーケースを外装ケースに収納していた。この方法では、インナーケースに固定された回路基板と表示基板とが配線された状態で、回路基板を外装ケースに固定する必要があり、リード線が邪魔になって作業しづらいという問題があった。また作業しやすくするためにリード線を長くすると、長いリード線が外装ケースの組立時に上外装ケースと下外装ケースの間に挟まれやすくなる。さらに、長いリード線を外装ケース内部に収納するスペースも問題となる。
【００５８】
そこで本実施の形態に係る組立方法では、まず表示基板７００をインナーケース４００上に仮止めし、インナーケース４００を外装ケース１００に挿入して外装ケース１００を閉鎖した後、外装ケース１００の外部からネジ止めなどにより表示基板７００を固定する方式とした。これによって、表示基板７００を外装ケース１００に固定するための位置決めが容易に行え、またリード線を長くする必要もなく、組み立て作業の効率が大きく改善される。
【００５９】
具体的には、インナーケース４００上に表示基板７００を仮止めするための仮止め機構としてボス４７０を設ける。図９に示すように、ボス４７０は基板ホルダ６１０に隣接した位置に表示基板７００を配置するよう、２箇所で円筒状に突出するよう形成される。表示基板７００を回路基板６００と隣接させることにより、これらの間を配線するリード部も最短とすることができる。また表示基板７００には、ボス４７０が挿入できるボス孔７１０を底面に設け、かつ上外装ケース１０１の内面でネジ止めするための表示基板ネジ孔７２０を形成している。好ましくは、ボス孔７１０と表示基板ネジ孔７２０が一直線上となるように配置される。これによって、表示基板７００への孔の形成を同時に行える。なお、ボス孔７１０およびボス４７０にはネジを締結するネジ溝などの構造を設けない。これらは仮止めのための機構であって、実際に固定されるのは表示基板７００と外装ケース１００との間であり、ネジ溝などの固定機構は表示基板ネジ孔７２０に設けられる。さらに、上外装ケース１０１には、図１０に示すように上外装ケース１０１の裏側に位置する表示基板７００をネジ止めするためのネジ孔１０９が開口される。インナーケース４００上に形成されるボス４７０は、インナーケース４００を外装ケース１００に挿入後、外装ケース１００のネジ孔１０９と表示基板ネジ孔７２０が一致する位置に表示基板７００が決めされるよう設計される。ボス４７０を使って表示基板７００を位置決めすることにより、インナーケース４００を外装ケース１００に挿入後、ネジ孔１０９からネジ止めして表示基板７００が外装ケース１００に固定される。これにより、表示基板７００がインナーケース４００上に仮止めされた状態から、外装ケース１００に確実に固定される。その後、ネジ孔１０９を隠すように表示ラベル１１０をインナーケース４００に貼付する。これによって、ネジ孔１０９を防水でき、またネジが外部に表出させないことで不用意な分解を防止できる。表示ラベル１１０は、図１０のように開口窓１０８の部分を開口させた一枚のシールとする他、ネジ孔をそれぞれ閉塞する複数のシールとすることもできる。
【００６０】
以上のパック電池を組み立てる工程を、以下説明する。
（１）まず、図３に示す電池ブロックを構成する。スペーサ２２０の電池保持部２２２に各々電池２１０を挿入し、かつ電池２１０の端面にリード板２４０を固定する。リード板２４０はリード突出部２４２が同一方向となるように、電池２１０の左右に各々で配置される。図３の例では、上下左右２個ずつ、４個の電極端子を固定するリード板２４０を３枚と、上下２個の電極端子を固定するリード板２４０１枚を電池２１０の両端に使用して、計１４個の電池２１０を７本直列接続し、かつこれら２つの並列接続を構成する。加えて、電池２１０の谷間に感熱素子を保持する感熱素子ホルダ２５０を固定する。感熱素子は、複数箇所に設けることが好ましく、例えば電池２１０の上列右側から２番目と３番目の間と、下列左側から２番目と３番目の間に設ける。また感熱素子用リード突出部２５２を、リード突出部２４２と同じ方向に突出させる。その後、電池ブロック２００の周囲を両面テープなどの固定テープ２６０で捲回し、表出している電池２１０の円筒側面がテープで接着されて電池２１０が固定される。
【００６１】
（２）この電池ブロック２００を、図５に示すように下インナーケース４０２に挿入する。なお、下インナーケース４０２には図６に示すように予め通気口４３０を内側から覆うようにシート４５０が固定されている。リード突出部２４２および感熱素子用リード突出部２５２が、それぞれ下インナーケース４０２に開口されたリード用スリット４１０、感熱素子リード用スリット４２０に挿入される。一方、下インナーケース４０２の開口部に電池ブロック２００を挿入後、上インナーケース４０１で開口部を閉塞し、超音波溶着で上下インナーケース４０２を溶着させ、この部分で気密に固定する。上インナーケース４０１の上面には、基板ホルダ６１０が載置され、ネジ止めにより固定される。図７に示すように基板ホルダ６１０は、予め電子部品などが実装されリード線５００が配線された基板を挿入して、ウレタン系樹脂でポッティングして防水処理された状態とされる。基板ホルダ６１０を上インナーケース４０１に固定した後、リード線５００を反対面のリード板２４０側に折り返す。このとき、複数のリード線５００が互いに交差しないように下方に折り返され、リード用リブ４６０で保持される。そして各リード板２４０にリード線５００を配線し、図６に示すようにシリコンで突出部が埋設されるように封止する。
【００６２】
（３）また図９に示すように、インナーケース４００の上面に表示基板７００を仮止めする。インナーケース４００のボス４７０に表示基板７００のボス孔７１０を挿入して、表示基板７００がインナーケース４００上に位置決めされて保持される。この状態で、インナーケース４００を外装ケース１００に挿入し、上外装ケース１０１と下外装ケース１０２を図８に示す左右の係止部で係止した後、ネジ止めで固定する。最後に、図１０に示すように上外装ケース１０１のネジ孔１０９からネジを挿入して、表示基板７００を上外装ケース１０１に固定し、その後表示ラベル１１０をネジ孔１０９を覆うように貼付する。これによって、パック電池は組み立てられる。
【産業上の利用可能性】
【００６３】
本発明のパック電池は、自転車、工具、自動車等、複数の電池を並列に接続し、かつこれらを直列に接続して出力を大きくしたパック電池に好適に適用できる。
【図面の簡単な説明】
【００６４】
【図１】本発明の一実施の形態に係るパック電池の外形を示す斜視図である。
【図２】図１のパック電池を示す断面図である。
【図３】図２のパック電池に内蔵される電池ブロックを示す斜視図である。
【図４】電池ブロックに使用されるスペーサを示す斜視図である。
【図５】電池ブロックを外装ケースに挿入する状態を示す斜視図である。
【図６】インナーケースを底面から見た斜視図である。
【図７】インナーケース上に回路基板を固定した状態を示す斜視図である。
【図８】インナーケースを外装ケースに挿入する状態を示す斜視図である。
【図９】インナーケースの上面に表示基板を仮止めする状態を示す斜視図である。
【図１０】外装ケースの外側から表示基板を固定する状態を示す斜視図である。
【符号の説明】
【００６５】
１００…外装ケース
１０１…上外装ケース
１０２…下外装ケース
１０３…取手
１０４…連結リブ
１０６…インナーケース保持用リブ
１０８…開口窓
１０９…ネジ孔
１１０…表示ラベル
２００…電池ブロック
２１０…電池
２２０…スペーサ
２２２…電池保持部
２２４…感熱素子ホルダ用切り欠き
２４０…リード板
２４１…スリット
２４２…リード突出部
２５０…感熱素子ホルダ
２５１…感熱素子用リード板
２５２…感熱素子用リード突出部
２６０…固定テープ
３００…封止材
４００…インナーケース
４０１…上インナーケース
４０２…下インナーケース
４１０…リード用スリット
４１２…封止用リブ
４１４…リード線保持部
４２０…感熱素子リード用スリット
４２２…感熱素子リード封止用リブ
４３０…通気口
４４０…傾斜面
４５０…シート
４６０…リード用リブ
４７０…ボス
５００…リード線
６００…回路基板
６１０…基板ホルダ
６１２…基板ホルダ用リブ
６２０…樹脂
７００…表示基板
７０１…表示部
７１０…ボス孔
７２０…表示基板ネジ孔
８００…緩衝材
【図１】
2005197192.tif 000003
【図２】
2005197192.tif 000004
【図３】
2005197192.tif 000005
【図４】
2005197192.tif 000006
【図５】
2005197192.tif 000007
【図６】
2005197192.tif 000008
【図７】
2005197192.tif 000009
【図８】
2005197192.tif 000010
【図９】
2005197192.tif 000011
【図１０】
2005197192.tif 000012